(57)【要約】【課題】安価で単純な構造を有し、良好な電流検出が可能な高圧ケーブルの電流測定装置を提供すること。【解決手段】エラストマー性を有する絶縁物で作られ、測定すべき高圧ケーブル１０を保持するための貫通孔２ａが形成されたハウジング２と、ハウジング２に内蔵され、感度方向が高圧ケーブル１０の方向を向くように配置された、コアのないホール素子またはホールＩＣを用いた電流センサ３と、ハウジング２に内蔵され、電流センサ３を駆動するための駆動回路および電源４と、ハウジング２に内蔵され、電流センサ３の検出信号を外部へ伝送する信号伝送部５とを含み、貫通孔２ａの内周からハウジング２の外周まで、貫通孔２ａの長さ方向に沿って切り込み部２ｂが形成されている。【選択図】図２
2006119059.tif 000002
【特許請求の範囲】
【請求項１】
エラストマー性を有する絶縁物で作られ、測定すべき高圧ケーブルを保持するための貫通孔が形成されたハウジングと、
前記ハウジングに内蔵され、感度方向が前記高圧ケーブルの方向を向くように配置された、コアのないホール素子またはホールＩＣを用いた電流センサと、
前記ハウジングに内蔵され、前記電流センサを駆動するための駆動回路および電源４と、
前記ハウジングに内蔵され、前記電流センサの検出信号を外部へ伝送する信号伝送部とを含み、
前記貫通孔の内周から前記ハウジングの外周まで、前記貫通孔の長さ方向に沿って切り込み部が形成されている
ことを特徴とする高圧ケーブルの電流測定装置。
【発明の詳細な説明】
【技術分野】
【０００１】
本発明は、高圧ケーブルの電流測定装置に関し、特に、バンク内で発生した放電現象（微地絡現象等）に伴う電流を検出する高圧ケーブルの電流測定装置に関する。
【背景技術】
【０００２】
配電用変電所においては、配電線路の絶縁破壊事故を防止あるいは事故発生の検知を行うため、ＧＰＴ（接地形計器用変圧器）を用いて零相電圧を監視している。通常よりも大きな零相電圧が発生した場合、配電線路の事故に至る可能性が高くなる。また、絶縁破壊事故が生じてしまった場合、零相電圧が大きくなり、ＧＰＴにより配電線路の事故が検知される。この検知がされた後、当該箇所を速やかに特定し、対策（たとえば、事故に結びつく可能性の高い欠陥部の除去や事故線路のケーブル張り替え工事の実施など）を施す必要がある。
【発明の開示】
【発明が解決しようとする課題】
【０００３】
しかしながら、零相電圧の検出は、バンク単位のため、現状の配電用変電所の計測システムでは、異常を検知しても当該配電線路を特定するのは困難である。このため、特定されたバンクの中から、当該箇所を含むケーブル等を時間をかけて探索しなければならない。この際、ＣＶケーブル等の配電ケーブルは遮蔽層があるため、ここから出ている接地線でＣＴ（電流トランス）等の電流測定器を用いて電流等を計測することにより、良否判定がし易い。
【０００４】
一方、架空線等に不具合が生じている場合、信号を検出して特定することが難しい。これは、架空線の構造が導体と絶縁物のみであるため、信号を検出する箇所がないためである。仮に、絶縁電線にＣＴ等を直接接続しようとした場合、絶縁性の高いＣＴが必要であり、非常に高価となる。
【０００５】
そこで、本発明は、上記のような問題点に着目し、安価で単純な構造を有し、良好な電流検出が可能な高圧ケーブルの電流測定装置を提供することを目的とする。
【課題を解決するための手段】
【０００６】
請求項１記載の発明は、エラストマー性を有する絶縁物で作られ、測定すべき高圧ケーブルを保持するための貫通孔が形成されたハウジングと、前記ハウジングに内蔵され、感度方向が前記高圧ケーブルの方向を向くように配置された、コアのないホール素子またはホールＩＣを用いた電流センサと、前記ハウジングに内蔵され、前記電流センサを駆動するための駆動回路および電源と、前記ハウジングに内蔵され、前記電流センサの検出信号を外部へ伝送する信号伝送部とを含み、前記貫通孔の内周から前記ハウジングの外周まで、前記貫通孔の長さ方向に沿って直線状に切り込み部が形成されていることを特徴とする。
【発明の効果】
【０００７】
請求項１記載の発明によれば、従来使用されている高圧ＣＴと比較すると、安価で単純な構造で微地絡現象に伴う地絡電流を測定することができる。また、測定対象のケーブルの直近にある他のケーブルの影響を受けることなく、容易に電流の検出ができる。また、安価で単純な構造を有し、コンパクトな大きさで構成できる。
【発明を実施するための最良の形態】
【０００８】
以下、本発明に係る高圧ケーブルの電流測定装置の最良の形態について、図面に基づき説明する。図１は、本発明に係る高圧ケーブルの電流測定装置の最良の形態を示し、（Ａ）は正面図、（Ｂ）は右側面図である。
【０００９】
電流測定装置１は、ハウジング２と、電流センサ３と、駆動回路および電源４と、信号伝送部５とから構成される。ハウジング２は、たとえばゴム、シリコーン（樹脂またはゴム）等のエラストマー性を有する絶縁物からなり、正面視ほぼ長円状の箱形に形成されている。
【００１０】
ハウジング２の内部には、電流センサ３、駆動回路および電源４と、信号伝送部５とが収容されていると共に、円形の貫通孔２ａが形成されている。また、貫通孔２ａの内周からハウジング２の外周まで、貫通孔２ａの長さ方向に沿った直線状の切り込み部２ｂが形成されている。ハウジング２は、エラストマー性を有する絶縁物で作られているので、この切り込み部２ｂで切り離された端部を持ち上げて、貫通孔２ａを広げることができる。
【００１１】
電流センサ３は、コアのない（コアレス）ホール素子（または、ホールＩＣ）を用いた電流センサであり、たとえば、旭化成電子（株）製の表面実装型電流センサ「ＣＭ８２０１」を用いることができる。電流センサ３は、その感度方向が貫通孔２ａの方向を向くように、ハウジング２内に配置される。
【００１２】
駆動回路および電源４における電源は、電池である。電流センサ３は、駆動回路および電源４で駆動され、電流センサ３で検出された検出信号は、信号伝送部５を介して外部に伝送される。
【００１３】
次に、上述の構成を有する電流測定装置１の使用方法について説明する。まず、図２（Ａ）に示すように、導体１０ａと導体１０ａを被覆して保護する絶縁物１０ｂとからなり電流測定をすべき高圧ケーブル１０の近傍に電流測定装置１を持ってきて、貫通孔２ａを形成しているが電流測定装置１の切り込み部２ｂで切り離されているハウジング２の端部を持ち上げて貫通孔２ａを広げ、広げられた貫通孔２ａ内に高圧ケーブル１０を挟み込む。
【００１４】
次に、持ち上げたハウジング２の端部を離せば、エラストマー性によりその端部は元の切り込み部２ｂに戻り、高圧ケーブル１０は、貫通孔２ａ内に挟み込まれて保持される。それにより、高圧ケーブル１０に対する電流測定装置１のセットが完了する。なお、貫通孔２ａの内径は、測定すべき高圧ケーブル１０の外径にほぼ一致するように予め設定しておくことができ、このように設定した場合は、高圧ケーブル１０は貫通孔２ａの内周にぴったりと接触して保持される。
【００１５】
図２（Ｂ）および（Ｃ）は、それぞれ、電流測定装置１のセット完了時の状態を示す正面図および右側面図である。
【００１６】
その後、セットした電流測定装置１のハウジング２の最外層の特に、貫通孔２ａ、切り込み部２ｂおよび該貫通孔２ａに挟み込まれた高圧ケーブル１０の部分に、自己融着テープ等の耐候性に優れた保護テープ（図示しない）を巻き付けて防水処理を行う。信号伝送部５は、検出した電流そのものの波形あるいは演算処理を施したデータ等を外部の計測器等（図示しない）に伝送する。外部の計測器等は、電流測定装置１から伝送された波形あるいはデータに基づいて、放電現象（微地絡現象等）の有無を判定することができる。
【００１７】
次に、電流測定装置１を３相の配電線路で使用する場合について、図３を参照しながら説明する。
【００１８】
図３は、３相配電線路の高圧ケーブルの配列と、電流測定装置１の電流センサ３の感度方向の関係を示すイメージ図である。この場合、配電線路が３相なので、高圧ケーブルは３本あり、高圧ケーブル１０Ａ，１０Ｂ，１０Ｃが一列に配置されている。
【００１９】
このため、３本の高圧ケーブル１０Ａ，１０Ｂ，１０Ｃの同一箇所に無造作に３台の電流測定装置１を配置すると、配置の仕方次第によっては、測定対象の高圧ケーブル以外の高圧ケーブルからの影響を受け、信頼性の低い測定結果が得られてしまうことがある。
【００２０】
そこで、このような場合には、各電流測定装置１は、貫通孔２ａの中心と電流センサ３の中心を結ぶ線が各高圧ケーブルの一列方向とほぼ直交するように、セットする。それにより、各電流測定装置１の電流センサ３の感度方向が全て、測定対象の高圧ケーブルのみの方向を向くため、容易かつ確実に電流の測定が可能となる。そして、測定対象の高圧ケーブルの横にある他の高圧ケーブルの磁場（点線の同心円で示される）の方向は、電流センサ３の感度方向と異なるため、その影響が無くなる。
【００２１】
以上の通り、本発明の実施の形態について説明したが、本発明はこれに限らず、種々の変形、応用が可能である。
【００２２】
たとえば、上述の最良の形態では、信号伝送部５は、検出した電流そのものの波形あるいは演算処理を施したデータ等を外部の計測器等に伝送し、外部の計測器等において放電現象（微地絡現象等）の有無を判定しているが、他の実施例として、信号伝送部５にＬＥＤ等の発光素子を組み合わせ、検出した電流を基に予め定義したスレショールドを超える電流が検出された場合にＬＥＤを発光させて微地絡現象の発生を報知する等の手段も考えられる。
【図面の簡単な説明】
【００２３】
【図１】本発明に係る高圧ケーブルの電流測定装置の最良の形態を示し、（Ａ）は正面図、（Ｂ）は右側面図である。
【図２】（Ａ）、（Ｂ）および（Ｃ）は、それぞれ、電流測定装置の使用方法を説明する図である。
【図３】３相配電線路の高圧ケーブルの配列と、電流測定装置の電流センサの感度方向の関係を示すイメージ図である。
【符号の説明】
【００２４】
１    電流測定装置
２    ハウジング
２ａ  貫通孔
２ｂ  切り込み部
３    電流センサ
４    駆動回路および電源
５    信号伝送部
【図１】
2006119059.tif 000003
【図２】
2006119059.tif 000004
【図３】
2006119059.tif 000005